【手続補正書】
【提出日】平成18年3月29日(2006.3.29)
【手続補正１】
【補正対象書類名】明細書
【補正対象項目名】発明の名称
【補正方法】変更
【補正の内容】
【発明の名称】照明器具及び照明制御システム
【手続補正２】
【補正対象書類名】明細書
【補正対象項目名】特許請求の範囲
【補正方法】変更
【補正の内容】
【特許請求の範囲】
【請求項１】  他の器具との間で明るさ情報をやり取りする通信手段と、
該通信手段からの明るさ情報を新たな明るさ情報として記憶する記憶部と、
前記記憶部が記憶している明るさ情報に基づいてランプを点灯制御するとともに、該通信手段の通信が途絶している期間は、通信が途絶した時点に前記記憶部が記憶している明るさ情報に基づく明るさを維持するように前記ランプを点灯制御する制御パターンを有する制御手段と、
を備えることを特徴とする照明器具。
【請求項２】  前記制御パターンは、前記通信手段の通信が途絶した時点に前記記憶部が記憶している明るさ情報に基づく明るさを一定時間維持した後、前記ランプの明るさを明るくすることを特徴とする請求項１に記載の照明器具。
【請求項３】  他の器具との間で明るさ情報をやり取りする通信手段と、
該通信手段からの明るさ情報を新たな明るさ情報として記憶する記憶部と、
前記記憶部が記憶している明るさ情報に基づいてランプを点灯制御するとともに、該通信手段の通信が途絶している期間は、通信が途絶した時点に前記記憶部が記憶している明るさ情報が予め設定される一定の明るさよりも明るいときはその明るさを維持し、暗いときは予め設定される一定の明るさまで明るくする制御パターンを有する制御手段と、
を備えることを特徴とする照明器具。
【請求項４】  他の器具との間で明るさ情報をやり取りする通信手段と、
該通信手段からの明るさ情報を明るさ情報として記憶する記憶部と、
前記記憶部が記憶している明るさ情報に基づいてランプを点灯制御するとともに、該通信手段の通信が途絶している期間は、通信が途絶した時点に前記記憶部が記憶している明るさ情報から明るさの変化率を算出して、算出した変化率に基づいて前記ランプの明るさを制御する制御パターンを有する制御手段と、
を備えることを特徴とする照明器具。
【請求項５】  前記制御パターンは、前記算出した変化率を維持するように前記ランプの明るさを制御することを特徴とする請求項４に記載の照明器具。
【請求項６】  前記制御パターンは、前記算出した変化率より小さい変化率に変更して前記ランプの明るさを制御することを特徴とする請求項４に記載の照明器具。
【請求項７】  前記制御パターンは、該通信手段の通信が途絶している期間、予め設定される一定の明るさとなるように前記ランプの明るさを制御することを特徴とする請求項４〜請求項６のいずれかに記載の照明器具。
【請求項８】  前記制御パターンは、該通信手段の通信が途絶した時点に前記記憶部が記憶している明るさ情報が予め設定される一定の明るさよりも明るいとき、前記記憶部が記憶している明るさ情報に基づく明るさを維持するように前記ランプの明るさを制御することを特徴とする請求項４〜請求項６のいずれかに記載の照明器具。
【請求項９】  前記制御パターンは、該通信手段の通信が途絶した時点に前記記憶部が記憶している明るさ情報が予め設定される一定の明るさよりも暗いとき、前記予め設定される一定の明るさとなるように前記ランプの明るさを明るくすることを特徴とする請求項４〜請求項８のいずれかに記載の照明器具。
【請求項１０】  前記制御パターンは、前記通信手段の通信が途絶している期間に前記ランプの明るさを明るくする点灯制御を行うとき、前記記憶部が記憶している明るさ情報に基づく明るさを一定時間維持した後、前記ランプの明るさを明るくすることを特徴とする請求項３または請求項９に記載の照明器具。
【請求項１１】  時刻を計時する計時手段を備え、
前記制御パターンは、前記計時手段が計時する時刻情報に基づいて前記予め設定される一定の明るさの設定値を変更することを特徴とする請求項３または請求項７〜請求項１０のいずれかに記載の照明器具。
【請求項１２】  複数の前記制御パターンを有する制御手段と、
前記制御手段の制御パターンを切り替える切替手段と、
を備えることを特徴とする請求項１〜請求項１１のいずれかに記載の照明器具。
【請求項１３】  前記切替手段は、前記記憶部が記憶している明るさ情報と、前記予め設定される一定の明るさとの比較に基づいて前記制御パターンを切り替えることを特徴とする請求項１２に記載の照明器具。
【請求項１４】  前記切替手段は、前記記憶部が記憶している前記算出した変化率と、前記予め設定される変化率との比較に基づいて前記制御パターンを切り替えることを特徴とする請求項１２に記載の照明器具。
【請求項１５】  前記切替手段は、外部から入力される信号に基づいて前記制御パターンを切り替えることを特徴とする請求項１２に記載の照明器具。
【請求項１６】  前記通信手段から途絶原因を検出する通信途絶原因検出手段を備え、
前記切替手段は、前記通信途絶原因検出手段が検出する途絶原因に応じて前記制御パターンを切り替えることを特徴とする請求項１２〜請求項１５のいずれかに記載の照明器具。
【請求項１７】  前記通信手段は、通信が途絶すると通信途絶情報を送信することを特徴とする請求項１〜請求項１６のいずれかに記載の照明器具。
【請求項１８】  前記通信手段の通信が途絶したことを表示する表示手段を備えたことを特徴とする請求項１〜請求項１７のいずれかに記載の照明器具。
【請求項１９】  前記制御手段は、通信が途絶すると、前記ランプの明るさを通常の点灯状態とは異なるように前記ランプの点灯状態を制御して、ユーザに通信途絶を知らせることを特徴とする請求項１〜請求項１７のいずれかに記載の照明器具。
【請求項２０】  請求項１〜請求項１９のいずれかに記載の照明器具を複数備え、
それぞれの前記照明器具に備える前記通信手段の間で通信するとともに、前記通信手段によって通信される明るさ情報に基づいて前記制御手段が前記ランプの明るさを制御することを特徴とする照明制御システム。
【手続補正３】
【補正対象書類名】明細書
【補正対象項目名】０００１
【補正方法】変更
【補正の内容】
【０００１】
【発明の属する技術分野】
本発明は、照明器具、及び複数の照明機器を備えた照明制御システムに関し、特に、複数の照明機器を通信手段を介して連動させる制御に関する。
【手続補正４】
【補正対象書類名】明細書
【補正対象項目名】０００５
【補正方法】変更
【補正の内容】
【０００５】
本発明は、このような問題点を解決するためになされたものであり、通信が途絶した場合においても適切な照明が得られ、実使用上での使用感を向上させ、より安定な照明器具、及びそれを備えた照明制御システムを提供することを目的とする。
【手続補正５】
【補正対象書類名】明細書
【補正対象項目名】０００６
【補正方法】変更
【補正の内容】
【０００６】
【課題を解決するための手段】
本発明に係る照明器具は、他の器具との間で明るさ情報をやり取りする通信手段と、該通信手段からの明るさ情報を新たな明るさ情報として記憶する記憶部と、前記記憶部が記憶している明るさ情報に基づいてランプを点灯制御するとともに、該通信手段の通信が途絶している期間は、通信が途絶した時点に前記記憶部が記憶している明るさ情報に基づく明るさを維持するように前記ランプを点灯制御する制御パターンを有する制御手段とを備えたものである。
【手続補正６】
【補正対象書類名】明細書
【補正対象項目名】００３５
【補正方法】変更
【補正の内容】
【００３５】
【発明の効果】
以上のように本発明によれば、通信手段からの明るさ情報を記憶部に新たな明るさ情報として記憶し、記憶部が記憶している明るさ情報に基づいてランプを点灯制御するとともに、通信手段の通信が途絶している期間は、通信が途絶した時点に記憶部が記憶している明るさ情報に基づく明るさを維持するようにランプを点灯制御するようにしたので、実使用上での使用感を向上させ、より安定な照明器具を提供することが可能となる。